(57)【特許請求の範囲】
【請求項１】
音声およびデータの同時通信におけるワイヤレス通信の方法であって、
電力制限モードの前にアップリンク無線ベアラチャネルを確立することと、
ワイヤレス端末において、前記ワイヤレス端末のコンディションに基づいて前記電力制限モードを検出することと、ここにおいて、前記コンディションは、しきい値よりも低い送信電力ヘッドルームレベルを備え、
前記検出に基づいて、検出された前記電力制限モードの全体の持続時間の間、前記ワイヤレス端末で、少なくとも１つのアップリンクチャネルの情報の少なくとも一部の送信を一時停止することと、前記無線ベアラチャネルは前記一時停止の間維持される、ここにおいて、一時停止することは、前記少なくとも１つのアップリンクチャネルの情報の一時停止が結果として生じることを示すシーケンスが基地局に伝送された後に行われる、
前記少なくとも１つのアップリンクチャネル上でのアップリンク制御データの送信を一時停止した後に、少なくとも前記アップリンク無線ベアラチャネルに、前記少なくとも１つのアップリンクチャネル上での前記アップリンク制御データの前記送信のために以前割り当てられた送信電力を再割り当てすることと、
を備える、方法。
【請求項２】
前記コンディションは、転送フォーマットの組み合わせの最小のセットから１つの転送フォーマットの組み合わせを選択した前記ワイヤレス端末を備える、請求項１に記載の方法。
【請求項３】
前記少なくとも１つのアップリンクチャネルは、高速個別物理制御チャネル（ＨＳ−ＤＰＣＣＨ）を備える、請求項１に記載の方法。
【請求項４】
前記アップリンク制御データの前記送信のために以前割り当てられた送信電力を再割り当てされたアップリンク無線ベアラチャネルは、個別物理データチャネル（ＤＰＤＣＨ）および個別物理制御チャネル（ＤＰＣＣＨ）のうちの１つを備える、請求項１に記載の方法。
【請求項５】
前記一時停止することは、チャネル品質インジケータ（ＣＱＩ）、肯定応答（ＡＣＫ）、否定応答（ＮＡＣＫ）のうちの１つまたは複数を一時停止することを備える、請求項１に記載の方法。
【請求項６】
前記少なくとも１つのアップリンクチャネルは、高速個別物理制御チャネル（ＨＳ−ＤＰＣＣＨ）を備える、請求項１に記載の方法。
【請求項７】
音声およびデータの同時通信におけるワイヤレス通信のための装置であって、
基地局からデータを受信するように構成された受信機と、
電力制限モードの前に前記基地局に無線ベアラチャネルを介して前記データを送信するように構成された送信機と、
ワイヤレス端末のコンディションに基づいて前記電力制限モードを検出し、第１のチャネル上でのアップリンク制御データの送信を一時停止し、ここにおいて、前記コンディションは、しきい値よりも低い送信電力ヘッドルームレベルを備え、
前記アップリンク無線ベアラ送信を維持する間、検出された前記電力制限モードに基づいて、検出された前記電力制限モードの全体の持続時間の間、前記ワイヤレス端末で、少なくとも１つのアップリンクチャネルの情報の少なくとも一部の送信を一時停止する、ここにおいて、一時停止することは、前記少なくとも１つのアップリンクチャネルの情報の一時停止が結果として生じることを示すシーケンスが前記基地局に伝送された後に行われる、
前記少なくとも１つのアップリンクチャネル上での前記アップリンク制御データの送信を一時停止した後に、少なくとも前記無線ベアラチャネルに、前記少なくとも１つのアップリンクチャネル上での前記アップリンク制御データの前記送信のために以前割り当てられた送信電力を再割り当てする、
ように構成されたプロセッサと、を備える、装置。
【請求項８】
前記コンディションは、転送フォーマットの組み合わせの最小のセットから１つの転送フォーマットの組み合わせを選択した前記装置を備える、請求項７に記載の装置。
【請求項９】
前記少なくとも１つのアップリンクチャネルは、高速個別物理制御チャネル（ＨＳ−ＤＰＣＣＨ）を備える、請求項７に記載の装置。
【請求項１０】
前記アップリンク制御データの前記送信のために以前割り当てられた送信電力を再割り当てされた無線ベアラチャネルは、個別物理データチャネル（ＤＰＤＣＨ）および個別物理制御チャネル（ＤＰＣＣＨ）のうちの１つを備える、請求項７に記載の装置。
【請求項１１】
前記プロセッサは、チャネル品質インジケータ（ＣＱＩ）、肯定応答（ＡＣＫ）、否定応答（ＮＡＣＫ）のうちの１つまたは複数を一時停止するように構成される、請求項７に記載の装置。
【請求項１２】
前記少なくとも１つのアップリンクチャネルは、高速個別物理制御チャネル（ＨＳ−ＤＰＣＣＨ）を備える、請求項７に記載の装置。
【請求項１３】
音声およびデータの同時通信におけるワイヤレス通信のための装置であって、
電力制限モードの前に音声またはデータリンクを維持するワイヤレス端末において、前記ワイヤレス端末のコンディションに基づいて前記電力制限モードを検出するための手段と、ここにおいて、前記コンディションは、しきい値よりも低い送信電力ヘッドルームレベルを備え、
前記音声またはデータリンクを終わらせることなく前記電力制限モードの検出に基づいて、検出された前記電力制限モードの全体の持続時間の間、前記ワイヤレス端末で、少なくとも１つのアップリンクチャネルの情報の少なくとも一部の送信を一時停止するための手段と、ここにおいて、一時停止することは、前記少なくとも１つのアップリンクチャネルの情報の一時停止が結果として生じることを示すシーケンスが基地局に伝送された後に行われる、
前記少なくとも１つのアップリンクチャネル上でのアップリンク制御データの送信を一時停止した後に、少なくとも前記音声またはデータリンクに、前記少なくとも１つのアップリンクチャネル上での前記アップリンク制御データの前記送信のために以前割り当てられた送信電力を再割り当てするための手段と、
を備える、装置。
【請求項１４】
前記コンディションは、転送フォーマットの組み合わせの最小のセットから１つの転送フォーマットの組み合わせを選択した前記ワイヤレス端末を備える、請求項１３に記載の装置。
【請求項１５】
前記少なくとも１つのアップリンクチャネルは、高速個別物理制御チャネル（ＨＳ−ＤＰＣＣＨ）を備える、請求項１３に記載の装置。
【請求項１６】
前記アップリンク制御データの前記送信のために以前割り当てられた送信電力を再割り当てされた前記音声またはデータリンクは、個別物理データチャネル（ＤＰＤＣＨ）および個別物理制御チャネル（ＤＰＣＣＨ）のうちの１つを備える、請求項１３に記載の装置。
【請求項１７】
チャネル品質インジケータ（ＣＱＩ）、肯定応答（ＡＣＫ）、否定応答（ＮＡＣＫ）のうちの１つまたは複数を一時停止するための手段をさらに備える、請求項１３に記載の装置。
【請求項１８】
前記少なくとも１つのアップリンクチャネルは、高速個別物理制御チャネル（ＨＳ−ＤＰＣＣＨ）を備える、請求項１３に記載の装置。
【請求項１９】
命令を記憶しているコンピュータ可読記憶媒体であって、前記命令は、実行されるときにコンピュータに、
電力制限モードの前にアップリンク無線ベアラチャネルを維持することと、
ワイヤレス端末において、前記ワイヤレス端末のコンディションに基づいて前記電力制限モードを検出することと、ここにおいて、前記コンディションは、しきい値よりも低い送信電力ヘッドルームレベルを備え、
前記アップリンク無線ベアラチャネルを継続する間、検出された前記電力制限モードに基づいて、検出された前記電力制限モードの全体の持続時間の間、前記ワイヤレス端末で、少なくとも１つのアップリンクチャネルの情報の少なくとも一部の送信を一時停止することと、ここにおいて、一時停止することは、前記少なくとも１つのアップリンクチャネルの情報の一時停止が結果として生じることを示すシーケンスが基地局に伝送された後に行われる、
前記少なくとも１つのアップリンクチャネル上でのアップリンク制御データの送信を一時停止した後に、少なくとも前記アップリンク無線ベアラチャネルに、前記少なくとも１つのアップリンクチャネル上での前記アップリンク制御データの前記送信のために以前割り当てられた送信電力を再割り当てすることと、
を行わせる、コンピュータ可読記憶媒体。
【請求項２０】
前記コンディションは、転送フォーマットの組み合わせの最小のセットから１つの転送フォーマットの組み合わせを選択した前記ワイヤレス端末を備える、請求項１９に記載のコンピュータ可読記憶媒体。
【請求項２１】
前記少なくとも１つのアップリンクチャネルは、高速個別物理制御チャネル（ＨＳ−ＤＰＣＣＨ）を備える、請求項１９に記載のコンピュータ可読記憶媒体。
【請求項２２】
前記アップリンク無線ベアラチャネルは、個別物理データチャネル（ＤＰＤＣＨ）および個別物理制御チャネル（ＤＰＣＣＨ）のうちの１つを備える、請求項１９に記載のコンピュータ可読記憶媒体。
【請求項２３】
前記媒体は、チャネル品質インジケータ（ＣＱＩ）、肯定応答（ＡＣＫ）、否定応答（ＮＡＣＫ）のうちの１つまたは複数を一時停止することを、実行されるときに前記コンピュータに行わせる命令をさらに記憶している、請求項１９に記載のコンピュータ可読記憶媒体。
【請求項２４】
前記少なくとも１つのアップリンクチャネルは、高速個別物理制御チャネル（ＨＳ−ＤＰＣＣＨ）を備える、請求項１９に記載のコンピュータ可読記憶媒体。
【請求項２５】
前記電力制限モードの前記持続時間の終了を検出することに応答して、前記一時停止された部分の送信を再開することをさらに備える、請求項１に記載の方法。
【発明の詳細な説明】
【関連出願の相互参照】
【０００１】
[0001]  本開示は、その譲受人に譲渡され、「ＳＹＳＴＥＭＳ，ＭＥＴＨＯＤＳ  ＡＮＤ  ＡＰＰＡＲＡＴＵＳ  ＦＯＲ  ＲＡＤＩＯ  ＵＰＬＩＮＫ  ＰＯＷＥＲ  ＣＯＮＴＲＯＬ」という名称の、２０１１年７月２２日付で出願された、米国特許仮出願第６１／５１０，８３４号に基づく優先権を主張する。この先行する出願の開示は、本開示の一部として考慮され、本開示に参照として組み込まれる。
【背景技術】
【０００２】
[0002]  本発明の態様は、ワイヤレス通信に関し、特に、無線リンク電力制御を有効にするように構成されたシステム、方法、および装置に関する。
【０００３】
[0003]  ワイヤレス通信システムは、音声、データ等のような様々なタイプの通信コンテンツを提供するために広く展開されている。これらのシステムは、利用可能なシステムリソース（例えば、帯域幅および送信電力）を共有することによって多数のユーザとの通信をサポートすることのできる多元接続システムでありうる。このような多元接続システムの例は、符号分割多元接続（ＣＤＭＡ）システム、時間分割多元接続（ＴＤＭＡ）システム、周波数分割多元接続（ＦＤＭＡ）システム、３ＧＰＰロングタームエボリューション（ＬＴＥ）システム、および直交周波数分割多重接続（ＯＦＤＭＡ）システムを含む。
【０００４】
[0004]  概してワイヤレス多元接続通信システムは、複数のワイヤレス端末（例えば、携帯電話、タブレットコンピュータ、および他の電子デバイス）にための通信を同時にサポートすることができる。各ワイヤレス端末は、１つまたは複数のアップリンクおよびダウンリンク上の送信を通じて、１つまたは複数の基地局と通信する。ダウンリンク（すなわち、順方向リンク）は、基地局からワイヤレス端末への通信リンクを称し、アップリンク（すなわち、逆方向リンク）は、ワイヤレス端末から基地局への通信リンクを称する。これらの通信リンクは、単一入力単一出力（ＳＩＳＯ）、多入力単一出力（ＭＩＳＯ）、または多入力多出力（ＭＩＭＯ）システムを通じて、確立されうる。
【０００５】
[0005]  ＭＩＭＯシステムは、データ送信のために複数の送信アンテナおよび複数の受信アンテナを用いる。送信および受信アンテナによって形成されたＭＩＭＯチャネルは、空間チャネルとしても称される、独立チャネルへ分離されうる。独立チャネルの各々は、一つの次元に対応する。複数の送信および受信アンテナによって生成されるさらなる次元が利用される場合、ＭＩＭＯシステムは、強化された性能（例えば、より高いスループットおよび／またはより高い信頼性）を提供することができる。
【０００６】
[0006]  ＭＩＭＯシステムは、時分割デュプレックス（ＴＤＤ）および周波数分割デュプレックス（ＦＤＤ）システムをサポートする。ＴＤＤシステムでは、相互関係の原理が、アップリンクチャネルからのダウンリンクチャネルの推定を可能にするように、アップリンクおよびダウンリンク送信は同じ周波数領域内にある。このことは、複数のアンテナが基地局で利用可能であるとき、ダウンリンク上で送信ビームフォーミング利得を基地局が抽出することを有効にする。
【０００７】
[0007]  基地局の主要な目的は、１つまたは複数のワイヤレス端末とコア通信ネットワークとの間に接続を提供することである。その狙いのために、基地局は、ワイヤレス端末へのおよびワイヤレス端末からの、無線送信および無線受信を操作する。
【０００８】
[0008]  ワイヤレス端末と基地局との間の呼接続を確立するために、無線アクセスベアラ（ＲＡＢ）が必要とされる。ＲＡＢは、ワイヤレス端末とコア通信ネットワークとの間で音声または他のデータを搬送する。例えば、音声データ、ストリーミングデータ（例えば、ビデオクリップをストリーミングすること）、相互動作データ（例えば、ウェブサイトと相互動作すること）、および他のもののような異なるタイプのデータに対して異なるタイプのＲＡＢがある。音声およびデータチャネルへの同時接続は、複数のＲＡＢを要求し、複数のＲＡＢすなわちＭＲＡＢ接続として称されうる。例えば３Ｇ  ＵＭＴＳのような、結合された音声およびデータのネットワークの初期において、音声およびデータの同時接続は普及していなかった。しかしながら、より新しいワイヤレス端末デバイス（例えば、タッチスクリーンセルラ電話）は、ますます、音声およびデータ接続を同時に使用するようになっている。残念なことに、ワイヤレス端末は大抵、制限された送信電力を有するので、ＭＲＡＢ呼は、その制限された送信電力が多すぎるチャネル間に同時に分割されることに起因して、脱落呼（dropped calls）または接続（connections）のレートを増加させうる。したがって、ワイヤレス端末のための接続品質を強化するために、ＭＲＡＢ呼の間の送信電力の割り当てを強化する必要性がある。
【発明の概要】
【０００９】
[0009]  添付の請求項の範囲内のシステム、方法、および装置の様々なインプリメンテーション（implementations）は各々、いくつかの態様を有し、それらのどれも、ここに記述された望ましい属性を単独で担うものではない。添付の請求項の範囲を制限することなく、いくつかの卓越した特徴がここに記述されている。この議論を考慮した後、特に、「発明を実施するための形態」という名称のセクションを読んだ後に、当業者は、様々なインプリメンテーションの特徴が、ＭＲＡＢ呼における様々なチャネルへの電力割り当てを管理するためにどのように使用されるかを理解するだろう。
【００１０】
[0010]  一態様では、音声およびデータ通信におけるワイヤレス通信の方法が提供されている。その方法は、ワイヤレス端末において、ワイヤレス端末のコンディションに基づいて電力制限モードを検出することを含む。その方法はさらに、その検出に基づいて、ワイヤレス端末で、少なくとも１つのアップリンクチャネルの情報の少なくとも一部の送信を、一時停止することを含む。その送信は、その検出された電力制限モードの持続時間の間一時停止される。
【００１１】
[0011]  別の態様では、音声およびデータ通信におけるワイヤレス通信ための装置が提供されている。その装置は、基地局からデータを受信するように構成された受信機を含む。その装置はさらに、基地局にデータを送信するように構成された送信機を含む。その装置はさらに、ワイヤレス端末のコンディションに基づいて電力制限モードを検出し、第１のチャネル上でのアップリンク制御データの送信を一時停止するように構成されたプロセッサを含む。そのプロセッサはさらに、その検出された電力制限モードに基づいて、ワイヤレス端末で、少なくとも１つのアップリンクチャネルの情報の少なくとも一部の送信を、一時停止するように構成される。そのプロセッサは、その検出された電力制限モードの持続時間の間送信を一時停止するように構成される。
【００１２】
[0012]  別の態様では、音声およびデータ通信におけるワイヤレス通信ための別の装置が提供されている。その装置は、ワイヤレス端末において、ワイヤレス端末のコンディションに基づいて電力制限モードを検出するための手段を含む。その装置はさらに、その電力制限モードの検出に基づいて、ワイヤレス端末で、少なくとも１つのアップリンクチャネルの情報の少なくとも一部の送信を、一時停止するための手段を含む。その送信は、その検出された電力制限モードの持続時間の間一時停止される。
【００１３】
[0013]  別の態様では、音声およびデータ通信においてワイヤレスに通信するためのコンピュータプログラム製品が提供されている。そのコンピュータプログラム製品は、実行されたときに装置に、ワイヤレス端末において、ワイヤレス端末のコンディションに基づいて電力制限モードを検出させる命令を含む、非トランジトリなコンピュータ可読媒体を含む。その媒体はさらに、実行されたときにその装置に、その検出された電力制限モードに基づいて、ワイヤレス端末で、少なくとも１つのアップリンクチャネルの情報の少なくとも一部の送信を、一時停止させる命令を含む。その送信は、検出された電力制限モードの持続時間の間一時停止される。
【図面の簡単な説明】
【００１４】
[0014]  本開示の特徴が詳細に理解されることができるように、上で簡潔に要約された、より具体的な説明が、態様を参照して行われることができ、その態様のいくつかは、添付の図面に例示されている。しかしながら、添付の図面は、本開示のある特定の態様のみを例示しており、それゆえ、その範囲を制限するものとして考慮されるべきではなく、記述のために、他の同等に効果的な態様を認めうるころは留意されたい。
【図１】ワイヤレス通信システムの機能的なブロック図。
【図２】ワイヤレス端末と基地局のような、通信ノード間での通信を容易にするために用いられうるコンポーネントの機能的なブロック図。
【図３】図１のワイヤレス端末におけるワイヤレス通信の方法のインプリメンテーションを例示するフローチャート。
【図４】図１のワイヤレス端末におけるワイヤレス通信の別の方法のインプリメンテーションを例示するフローチャート。
【図５】図１のワイヤレス端末におけるワイヤレス通信の別の方法のインプリメンテーションを例示するフローチャート。
【図６】例示的なワイヤレス端末のブロック図。
【００１５】
[0021]  共通の実施によると、図面で例示されている様々な特徴は正寸でないことがある。したがって、その様々な特徴の寸法は、明確性のために任意で拡張または縮小されうる。加えて、図面のいくつかは、所与のシステム、方法、またはデバイスのコンポーネントの全てを描写していないことがある。最後に、明細書および図面を通じて、同一の参照番号は、同一の特徴を示すために使用されうる。
【発明を実施するための形態】
【００１６】
[0022]  添付の請求項の範囲内の実施形態の様々な態様が以下で記述されている。ここに記述された態様は、多種多様な形式で実現され、ここに記述されたあらゆる特定の構造および／または機能は例示的なものにすぎないことは明らかであるべきでる。本開示に基づいて、当業者は、ここに記述された態様が、いずれの他の態様からも独立してインプリメントされ、これらの態様のうちの２つ以上が、様々な手法で組み合わされうることを認識すべきである。例えば、ここで述べられたあらゆる数の態様を使用して、装置がインプリメントされ、ならびに／あるいは、方法が実施されうる。加えて、ここで述べられた態様の１つまたは複数に加えて、またはここで述べられた態様の１つまたは複数以外の、他の構造および／または機能を使用して、そのような装置がインプリメントされうる、ならびに／あるいはそのような方法が実施されうる。
【００１７】
[0023]  ここに記述された技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等のような様々なワイヤレス通信ネットワークのために使用されうる。「ネットワーク」および「システム」という用語は、しばしば交換可能に使用される。ＣＤＭＡネットワークは、ユニバーサル地上無線アクセス（ＵＴＲＡ）、ｃｄｍａ２０００等のような無線技術をインプリメントしうる。ＵＴＲＡは、広帯域ＣＤＭＡ（Ｗ−ＣＤＭＡ（登録商標））および低チップレート（ＬＣＲ）を含む。ｃｄｍａ２０００は、ＩＳ−２０００規格、ＩＳ−９５規格、およびＩＳ−８５６規格をカバーする。ＴＤＭＡネットワークは、モバイル通信のためのグローバルシステム（ＧＳＭ（登録商標））のような無線技術をインプリメントしうる。ＯＦＤＭＡネットワークは、発展型ＵＴＲＡ（Ｅ−ＵＴＲＡ）、ＩＥＥＥ  ８０２．１１、ＩＥＥＥ  ８０２．１６、ＩＥＥＥ  ８０２．２０、ＩＥＥＥ  ８０２．２２、フラッシュ−ＯＦＤＭＡ（登録商標）等のような無線技術をインプリメントしうる。ＵＴＲＡ、Ｅ−ＵＴＲＡ、およびＧＳＭは、ユニバーサルモバイルテレコミュニケーションシステム（ＵＭＴＳ）の一部である。ロングタームエボリューション（ＬＴＥ）は、Ｅ−ＵＴＲＡを使用するＵＭＴＳの最新の（ｕｐｃｏｍｉｎｇ）リリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と名付けられた組織による文書に記述されている。同様に、ｃｄｍａ２０００は、「第３世代パートナーシッププロジェクト２」（３ＧＰＰ２）と名付けられた組織による文書に記述されている。これらの様々な無線技術および規格は、当技術分野において知られている。
【００１８】
[0024]  いくつかの態様ではここでの教示がマクロスケールのカバレッジ（例えば、マクロセルネットワークと通常称される３Ｇネットワークのような広いエリアにわたるセルラネットワーク）、およびより狭いスケールのカバレッジ（例えば、住居をベースとした、および建物をベースとしたネットワーク環境）を含むネットワークに用いられうる。ワイヤレス端末（ＷＴ）またはユーザ機器（ＵＥ）が、そのようなネットワークの中を移動すると、ワイヤレス端末は、マクロカバレッジを提供する基地局（ＢＳ）またはアクセスノード（ＡＮ）によってある特定のロケーションにおいてサービス提供されることができる一方で、ワイヤレス端末は、より狭いスケールのカバレッジ、例えばフェムトノード（ＦＮ）を提供するアクセスノードによって他のロケーションでサービス提供されることができる。いくつかの態様では、より狭いカバレッジのノードが、（例えば、より強固なユーザ経験のために）増加する容量の伸び、建物内でのカバレッジ、および異なるサービスを提供するために使用されうる。ここでの議論では、比較的広いエリアをわたるカバレッジを提供するノードは、マクロノードとして称されうる。比較的狭いエリア（例えば、住宅）をわたったカバレッジを提供するノードは、フェムトノードとして称されうる。マクロエリアよりも狭く、かつフェムトエリアよりも広いエリアをわたるカバレッジを提供する（例えば、商業施設内のカバレッジを提供する）ノードは、ピコセルとして称されうる。
【００１９】
[0025]  マクロノード、フェムトノード、またはピコノードに関連付けられたセルは、それぞれマクロセル、フェムトセル、またはピコセルとして称されうる。いくつかのインプリメンテーションでは、各セルは１つまたは複数のセクタにさらに関連付けられうる（例えば、分割されうる）。
【００２０】
[0026]  様々なアプリケーションでは、他の用語が、マクロノード、フェムトノード、またはピコノードを参照するために使用されうる。例えばマクロノードは、アクセスノード、アクセスポイント、基地局、ノードＢ、ｅノードＢ、マクロセル等として称される、または構成されうる。また、フェムトノードは、ホームノードＢ（ＨＮＢ）、ホームｅノードＢ（ＨｅＮＢ）、アクセスポイントのアクセスポイント（ａｃｃｅｓｓ  ｐｏｉｎｔ  ａｃｃｅｓｓ  ｐｏｉｎｔ）、フェムトセル等として称される、または構成されうる。
【００２１】
[0027]  図１は、ワイヤレス通信システム１０の機能的なブロック図である。ワイヤレス通信システム１０は、第１の通信リンク１６１および第２の通信リンク１６３をわたって互いに通信する少なくとも１つの基地局１０１および少なくとも１つのワイヤレス端末１００を含む。第１および第２の通信リンク１６１、１６３の各々は、単一のパケットが各サイクルの間に送信されうる単一パケット通信リンク、または、複数のパケットが各サイクルの間に送信されうるマルチパケット通信リンクでありうる。例えば、第１の通信リンク１６１は、０、１、または２つのパケットが各サイクルの間に送信されうるデュアルパケット通信リンクでありうる。
【００２２】
[0028]  ワイヤレス端末１００は、メモリ１２０、入力デバイス１３０、および出力デバイス１４０とデータ通信するプロセッサ１１０を含む。プロセッサはさらに、モデム１５０およびトランシーバ１６０とデータ通信する。トランシーバ１６０もまた、モデム１５０およびアンテナ１７０とデータ通信する。ワイヤレス端末１００およびそのコンポーネントは、バッテリ１８０および／または外部電力ソースによって電力供給される。いくつかの実施形態では、バッテリ１８０、またはその一部は、電力インタフェース１９０を通じて外部電力ソースによって再充電可能である。別々に記述されているけれども、ワイヤレス端末１００に関して記述された機能ブロックが別個の構造要素である必要はないことは認識されるべきである。例えば、プロセッサ１１０およびメモリ１２０は、単一チップ内で実現されうる。同様に、プロセッサ１１０、モデム１５０、およびトランシーバ１６０のうちの２つ以上が単一チップ内で実現されうる。
【００２３】
[0029]  プロセッサ１１０は、汎用プロセッサ、デジタル信号プロセッサ（ＤＳＰ）、特定用途向け集積回路（ＡＳＩＣ）、フィールドプログラマブルゲートアレイ（ＦＰＧＡ）またはその他のプログラマブル論理デバイス、ディスクリートゲートまたはトランジスタ論理、ディスクリートハードウェアコンポーネント、あるいはここに記述された機能を行うように設計されたこれらのあらゆる適した組み合わせでありうる。プロセッサはまた、例えば、ＤＳＰとマイクロプロセッサの組み合わせ、複数のマイクロプロセッサ、ＤＳＰコアと連携した１つまたは複数のマイクロプロセッサ、あるいはその他あらゆるこのような構成であるコンピューティングデバイスの組み合わせとしてインプリメントされうる。
【００２４】
[0030]  プロセッサ１１０は、１つまたは複数のバスを通じて、メモリ１２０から情報を読み取り、またはメモリ１２０に情報を書き込むように結合されうる。プロセッサは、これに加えて、あるいはその代わりに、プロセッサレジスタのようなメモリを収容しうる。メモリ１２０は、異なるレベルが異なる容量およびアクセス速度を有するマルチレベル階層キャッシュを含むプロセッサキャッシュを含みうる。メモリ１２０はまた、ランダムアクセスメモリ（ＲＡＭ）、その他の揮発性記憶デバイス、または不揮発性記憶デバイスも含みうる。記憶装置は、ハードドライブ、コンパクトディスク（ＣＤｓ）またはデジタルビデオディスク（ＤＶＤｓ）のような光ディスク、フラッシュメモリ、フロッピー（登録商標）ディスク、磁気テープ、およびＺｉｐドライブを含みうる。
【００２５】
[0031]  プロセッサ１１０はまた、ワイヤレス端末１００のユーザから入力を受信すること、およびワイヤレス端末１００のユーザに出力を提供することのそれぞれのために、入力デバイス１３０および出力デバイス１４０に結合される。適した入力デバイスは、キーボード、ボタン、キー、スイッチ、ポインティングデバイス、マウス、ジョイスティック、遠隔制御、赤外検出器、（例えば、手のジェスチャまたは顔のジェスチャを検出するためのビデオ処理ソフトウェアに、可能であれば結合された）ビデオカメラ、動き検出器、または（例えば、音声コマンドを検出するためのオーディオ処理ソフトウェアに、可能であれば結合された）マイクロフォンを、これらに制限されないけれども含む。適した出力デバイスは、ディスプレイおよびプリンタを含む視覚出力デバイス、スピーカ、ヘッドホン、イヤホン、およびアラームを含むオーディオ出力デバイス、フォースフィードバック付ゲームコントローラおよび振動デバイスを含むハプティック出力デバイスを、これらに制限されないけれども含む。
【００２６】
[0032]  プロセッサ１１０はさらに、モデム１５０およびトランシーバ１６０に結合される。モデム１５０およびトランシーバ１６０は、１つまたは複数のエアインタフェース規格にしたがった、アンテナ１７０を通じた通信リンク１６１、１６３をわたるワイヤレス送信のためのプロセッサ１１０によって生成されたデータを準備する。モデム１５０およびトランシーバ１６０はまた、１つまたは複数のエアインタフェース規格にしたがって、アンテナ１７０を通じ、通信リンク１６１、１６３をわたって受信したデータを復調する。トランシーバは、送信機１６２、受信機１６４、または両方を含みうる。他の実施形態では、送信機１６２および受信機１６４は、２つの別個のコンポーネントである。モデム１５０およびトランシーバ１６０は、汎用プロセッサ、デジタル信号プロセッサ（ＤＳＰ）、特定用途向け集積回路（ＡＳＩＣ）、フィールドプログラマブルゲートアレイ（ＦＰＧＡ）またはその他のプログラマブル論理デバイス、ディスクリートゲートまたはトランジスタ論理、ディスクリートハードウェアコンポーネント、あるいはここに記述された機能を行うように設計されたこれらのあらゆる適した組み合わせとして実現されうる。アンテナ１７０は、多入力／多出力（ＭＩＭＯ）通信のために複数のアンテナを含むことができる。
【００２７】
[0033]  ワイヤレス端末１００およびそのコンポーネントは、バッテリ１８０および／または外部電力ソースによって電力供給される。バッテリ１８０は、エネルギーを記憶するあらゆるデバイスであることができ、特に、科学エネルギーを記憶し、それを電気エネルギーとして提供するあらゆるデバイスでありうる。バッテリ１８０は、リチウムポリマバッテリ、リチウムイオンバッテリ、ニッケル水素バッテリ、またはニッケルカドミウムバッテリ、を含む１つまたは複数の二次的セル、あるいは、アルカリ性バッテリ、リチウムバッテリ、酸化銀バッテリ、または亜鉛炭素バッテリを含む１つまたは複数の主要セルを含みうる。外部電力ソースは、壁コンセント、乗り物のシガーソケット、ワイヤレスエネルギー転送プラットフォーム、または太陽を含みうる。
【００２８】
[0034]  いくつかの実施形態では、バッテリ１８０、またはその一部は、電力インタフェース１９０を通じて外部電力ソースによって再充電可能である。電力インタフェース１９０は、バッテリ充電器を接続するためのプラグ差込み口、近接場ワイヤレスエネルギー転送のための誘導子、または太陽エネルギーを電気エネルギーにコンバートするための光起電性パネルを含みうる。
【００２９】
[0035]  いくつかの実施形態では、ワイヤレス端末１００は、携帯電話、携帯情報端末（ＰＤＡ）、ハンドヘルドコンピュータ、ラップトップコンピュータ、ワイヤレスデータアクセスカード、ＧＰＳ受信機／ナビゲータ、カメラ、ＭＰ３プレイヤ、カムコーダー、ゲーム機、腕時計、時計、またはテレビである。
【００３０】
[0036]  基地局１０１はまた、メモリ１１２およびトランシーバ１６５に結合されたプロセッサ１１１を少なくとも含む。トランシーバ１６５は、アンテナ１７１に結合された送信機１６７および受信機１６６を含む。プロセッサ１１１、メモリ１１２、トランシーバ１６５、およびアンテナ１７１は、ワイヤレス端末１００に関して上で記述されたように実現されうる。
【００３１】
[0037]  図１のワイヤレス通信システム１０では、基地局１０１は、第１の通信リンク１６１および第２の通信リンク１６３を通じて、ワイヤレス端末１００にデータパケットを送信することができる。一実施形態では、基地局は、サイクルごとに最大２つのパケットを、第１の通信リンク１６１を通じて送信することができるのに対して、基地局１０１は、第２の通信リンク１６３を通じて、サイクルごとに最大１つのパケットのみを送信することができる。
【００３２】
[0038]  図２は、ワイヤレス端末と基地局のような、通信ノード間での通信を容易にするために用いられうるいくつかのサンプルのコンポーネントを表現している。具体的には、図２は、ＭＩＭＯシステム２００の第１のワイヤレスデバイス２１０（例えば、基地局）および第２のワイヤレスデバイス２５０（例えば、ワイヤレス端末）の簡略化されたブロック図である。第１のデバイス２１０では、多数のデータストリームに対するトラフィックデータは、データソース２１２から送信（ＴＸ）データプロセッサ２１４に提供される。
【００３３】
[0039]  いくつかのインプリメンテーションにおいて、各データストリームは、それぞれの送信アンテナをわたって送信される。ＴＸデータプロセッサ２１４は、各データストリームに対するトラフィックデータを、そのデータストリームに対して選択された特定のコーディングスキームに基づいて、フォーマット化し、コード化し、ならびにインターリーブする。
【００３４】
[0040]  各データストリームに対するコード化されたデータはＯＦＤＭ技法を使用してパイロットデータで多重化されうる。パイロットデータは通常、既知の方法で処理される既知のデータパターンであり、チャネル応答を推定するために受信機システムで使用されうる。各データストリームに対する多重化されたパイロットおよびコード化されたデータは、その後、変調シンボルを提供するために、そのデータストリームに対して選択された特定の変調スキーム（例えば、ＢＰＳＫ、ＱＳＰＫ、Ｍ−ＰＳＫ、または、Ｍ−ＱＡＭ）に基づいて、変調（つまり、シンボルマッピング）される。各データストリームのためのデータレート、コード化、および変調は、プロセッサ２３０によって行われる命令によって決定されうる。データメモリ２３２は、デバイス２１０の、プロセッサ２３０または他のコンポーネントによって使用される、プログラムコード、データ、および他の情報を記憶することができる。
【００３５】
[0041]  そして、全てのデータストリームのための変調シンボルがＴＸ  ＭＩＭＯプロセッサ２２０に提供され、ＴＸ  ＭＩＭＯプロセッサ２２０はさらに、（例えば、ＯＦＤＭ用に）変調シンボルを処理しうる。ＴＸ  ＭＩＭＯプロセッサ２２０はその後、変調シンボルストリームをトランシーバ（ＸＣＶＲ）２２２Ａ〜２２２Ｔに提供する。いくつかの態様では、ＴＸ  ＭＩＭＯプロセッサ２２０は、データストリームのシンボルに、およびそのシンボルが送信されているアンテナに、ビームフォーミング重みを適用する。
【００３６】
[0042]  各トランシーバ２２２は、１つまたは複数のアナログ信号を提供するために、それぞれのシンボルストリームを受信および処理し、さらにＭＩＭＯチャネルをわたる送信に適した変調信号を提供するために、そのアナログ信号を調整（例えば、増幅、フィルタリング、およびアップコンバート）する。トランシーバ２２２Ａ〜２２２Ｔからの変調信号は、その後、アンテナ２２４Ａ〜２２４Ｔからそれぞれ送信される。
【００３７】
[0043]  第２のデバイス２５０では、送信された変調信号は、アンテナ２５２Ａ〜２５２Ｒによって受信され、各アンテナ２５２から受信した信号は、それぞれのトランシーバ（ＸＣＶＲ）２５４Ａ〜２５４Ｒに提供される。各トランシーバ２５４は、それぞれの受信した信号を調整（例えば、フィルタリング、増幅、およびダウンコンバート）し、サンプルを提供するために調整された信号をデジタル化し、対応する「受信した」シンボルストリームを提供するためにサンプルをさらに処理する。
【００３８】
[0044]  受信（ＲＸ）データプロセッサ１６５は、その後、トランシーバ２５４から受信したシンボルストリームを受信し、「検出された」シンボルストリームを提供するために特定の受信機処理技法に基づいて処理する。ＲＸデータプロセッサ１６５はその後、データストリームに対するトラフィックデータを復元するために、各検出されたシンボルストリームを復調、デインターリーブ、および復号する。ＲＸデータプロセッサ１６５による処理は、デバイス２１０でＴＸ  ＭＩＭＯプロセッサ２２０およびＴＸデータプロセッサ２１４によって行われるものと補完的である。
【００３９】
[0045]  プロセッサ２７０は、通信リンクおよび／または受信したデータストリームに関する様々なタイプの情報を備えうる、アップリンクメッセージを組織立てる。逆方向リンクメッセージは、データソース２３６からいくつかのデータストリームに対するトラフィックデータを受信することも行うＴＸデータプロセッサ２３８により処理され、変調器２８０により変調され、トランシーバ２５４Ａ〜２５４Ｒにより調整され、デバイス２１０に返送される。
【００４０】
[0046]  デバイス２１０で、第２のデバイス２５０からの変調信号は、第２のデバイス２５０によって送信されたアップリンクメッセージを抽出するために、アンテナ２２４によって受信され、トランシーバ２２２によって調整され、復調器（ＤＥＭＯＤ）２４０によって復調され、ＲＸデータプロセッサ２４２によって処理される。プロセッサ２３０はその後、抽出されたメッセージを処理する。
【００４１】
[0047]  図２はまた、通信コンポーネントが、アクセス制御を行う１つまたは複数のコンポーネントを含みうることを例示している。例えば、アクセス制御コンポーネント２９０は、別のデバイス（例えば、デバイス２５０）への／からの信号を伝送／受信するために、デバイス２１０のプロセッサ２３０および／または他のコンポーネントと協働しうる。同様に、アクセス制御コンポーネント２９２は、別のデバイス（例えば、デバイス２１０）への／からの信号を伝送／受信するために、デバイス２５０の、プロセッサ２７０および／または他のコンポーネントと協働しうる。各デバイス２１０および２５０について、記述されたコンポーネントのうちの２つ以上の機能が単一のコンポーネントによって提供されうることは認識されるべきである。例えば、単一の処理コンポーネントは、アクセス制御コンポーネント２９０およびプロセッサ２３０の機能を提供し、単一の処理コンポーネントは、アクセス制御コンポーネント２９２およびプロセッサ２７０の機能を提供しうる。
【００４２】
[0048]  基地局とワイヤレス端末との間のインタフェースは、各プロトコルレイヤが上位および／または下位の次のレイヤに特定のサービスを与えるいくつかのプロトコルレイヤから成るプロトコルスタックによって記述されうる。例えば、時により無線リソース制御（ＲＲＣ）として称される、プロトコルスタックのトップレイヤは、ワイヤレス端末へのワイヤレス接続を制御するためのシグナリングを制御しうる。このレイヤは、加えて、基地局からワイヤレス端末の態様の制御を提供し、無線ベアラ、物理チャネル、異なるチャネルタイプのマッピング、測定、および他の機能を制御するための機能を含みうる。
【００４３】
[0049]  時により  媒体アクセス制御（ＭＡＣ）レイヤとして称される、次の下位のレイヤは、上位のレイヤに論理チャネルを供給する。論理チャネルは、それらが搬送する異なるタイプの情報によって区分され、専用制御チャネル（ＤＣＣＨ）、共有制御チャネル（ＣＣＣＨ）、専用トラフィックチャネル（ＤＴＣＨ）、共有トラフィックチャネル（ＣＴＣＨ）、ブロードキャスト制御チャネル（ＢＣＣＨ）、ページング制御チャネル（ＰＣＣＨ）、および他のものを含みうる。ＭＡＣレイヤは、論理チャネルデータの、物理レイヤによって提供されるトランスポートチャネル上へのスケジューリングおよびマッピングを行いうる。また、共有トランスポートチャネルでは、ＭＡＣレイヤが異なるワイヤレス端末を対象としたデータフローを区別するためにアドレス指定情報を追加しうる。
【００４４】
[0050]  最後に、時により物理層として称される、最下位レベルは、無線周波数スペクトルをわたったデータの送信および受信を制御し、ＭＡＣレイヤにトランスポートチャネルを供給しうる。物理レイヤの送信機能は、チャネルコーディングおよびインターリーブ、トランスポートチャネルの多重化、物理チャネルへのマッピング、拡散、変調および電力増幅を、受信のための対応する機能と共に、含みうる。
【００４５】
[0051]  トランスポートチャネルは共通、つまり、一度に複数のワイヤレス端末によって共有される、または時間期間の間単一の端末に専用でありうる。異なるタイプのトランスポートチャネルは、送信の異なる特性（例えば、ＦＡＣＨ、ＲＡＣＨ、ＤＳＣＨ、ＢＣＨ、ＰＣＨ、および他のもの）を有する。専用トランスポートチャネルは、一度に１つのハンドセットにのみ割り当てられる。
【００４６】
[0052]  ワイヤレス端末が基地局と通信するために使用する各チャネルは、送信電力を要求し、多くのワイヤレス端末デバイスの本質により、その全体の送信能力は制限される。したがって、ＭＲＡＢ接続（例えば、音声とデータの同時接続）対単一ＲＡＢ接続（例えば、音声のみの接続）のより高い脱落接続のレート（higher dropped connection rates）の一因になる主な要因は、アップリンク接続上でのワイヤレス端末送信電力のより速い消耗である。この理由は、ＭＲＡＢでの接続が、ワイヤレス端末が接続を維持するために送信しなければならないさらなるアップリンクチャネルを要求することである。例えば、ある特定のセルラ電話ネットワークでは、高速専用物理制御チャネル（ＨＳ−ＤＰＣＣＨ）は、ワイヤレス端末から基地局に以下のタイプの制御情報を搬送しうる：（１）高速物理ダウンリンク共有チャネル（ＨＳ−ＤＰＳＣＨ）上のダウンリンク送信のための、０と３０との間の数である、チャネル品質インジケータ（ＣＱＩ）；肯定応答（ＡＣＫ）；否定応答（ＮＡＣＫ）。ワイヤレス端末は、ＨＳ−ＤＰＣＣＨへの利用可能な送信電力の一部を必要とする。例えば、ＨＳ−ＤＰＣＣＨに分配された電力の典型的な量は、３ｄＢと５ｄＢとの間の範囲にわたりうる。この送信電力は、アップリンクシグナリング無線ベアラ（ＳＲＢ）、および／またはアップリンク音声無線ベアラ、ならびに／あるいはアップリンクデータ無線ベアラの送信容量に割り当てられる可能性があった電力から取り上げられる。アップリンクチャネルの送信容量におけるこの低減は、結果として、ＭＲＡＢ呼を行っている間、より高いレートのセルラ電話に対する脱落呼をもたらす。例えば、セルラ電話の使用は、ウェブサイトにアクセスしている（つまり、ＭＲＡＢ呼）間に音声呼を行うことができ、音声チャネルのユーザの送信容量は、ＨＳ−ＤＰＣＣＨに電力を分配するための必要によって低減される。
【００４７】
[0053]  ワイヤレス端末が、ＭＲＡＢ接続の間に送信電力を使い果たしているとき、主要の懸念は、シグナリング無線ベアラおよび音声無線ベアラを良好な状態に保つことである。ＨＳ−ＤＰＳＣＨにおけるダウンリンクデータスループットは、より低い優先順位になる。したがって、ワイヤレス端末で脱落接続を低減するための１つの方法は、ワイヤレス端末が制限された送信電力コンディションにあるとき、ＭＲＡＢ呼のためのＨＳ−ＤＰＣＣＨ上の制御情報の伝送を一時停止する。このより広い概念を考慮すると、ＨＳ−ＤＰＣＣＨ上での制御データの伝送を一時停止する複数の方法が存在する。例えば、制御データが完全に一時停止されることができる、つまりＨＳ−ＤＰＣＣＨ上でのＡＣＫ、ＮＡＣＫおよびＣＱＩの一時停止である。代わりとして制御データは、ＡＣＫおよびＮＡＣＫデータが依然としてＨＳ−ＤＰＣＣＨ上で伝送される間にＣＱＩのみを一時停止する等、選択的に一時停止されうる。
【００４８】
[0054]  図３は、図１のワイヤレス端末１００におけるワイヤレス通信の方法３００のインプリメンテーションを例示するフローチャートである。方法３００は、図１に関して上記で論じられたワイヤレス端末１００を参照してここで記述されているけれども、当業者は、方法３００があらゆる他の適したデバイスによってインプリメントされうることを認識するだろう。ある実施形態では、方法３００は、送信機１６２、受信機１６４、およびメモリ１２０と関連してＣＰＵ１１０によって行われうる。方法３００は、様々な実施形態で、特定の順序を参照してここで記述されているけれども、ここにおけるブロックは、異なる順序で行われる、または省略されることができ、ならびにさらなるブロックが加えられることができる。
【００４９】
[0055]  方法３００は、ワイヤレス端末１００が、電力制限モードが有効にされるかを決定する決定ブロック３１０で始まる。電力制限モードは、ワイヤレス端末１００で、様々なコンディションによって有効にされうる。例えば、電力制限モードは、ワイヤレス端末１００が、送信電力の設定されたしきい値を超えると有効にされうる。つまり、例えば２３ｄＢの最大電力で送信することができるワイヤレス端末１００は、一度現在の送信電力が、例えば２０ｄＢのようなしきい値を上回ると、電力制限モードを開始しうる。電力制限モードは、以下で記述されるもののような、ワイヤレス端末１００のオペレーティングパラメータへの様々な変化をトリガしうる。代わりとして、２５．３２１および２５．１３３のような３ＧＰＰ技術仕様において記述されているように、ワイヤレス端末１００が、送信フォーマットの組み合わせ（Ｔｒａｎｓｍｉｔ  Ｆｏｒｍａｔ  Ｃｏｍｂｉｎａｔｉｏｎｓ）の最小のセットから転送フォーマットの組み合わせ（Ｔｒａｎｓｐｏｒｔ  Ｆｏｒｍａｔ  Ｃｏｍｂｉｎａｔｉｏｎｓ）のうちの１つを選択するときに、電力制限モードが開始されうる。他のインプリメンテーションは、電力確保モードを有効にするためのさらなる論理を有しうる。
【００５０】
[0056]  決定ブロック３１０で、ワイヤレス端末１００が、それが電力制限モードにないと決定した場合、その方法は、決定ブロック３１０に戻り、再スタートする。しかしながら決定ブロック３１０で、ワイヤレス端末１００が、それが電力制限モードにあると決定した場合、その方法は、ブロック３２０に移動する。
【００５１】
[0057]  ブロック３２０で、ワイヤレス端末１００は、ＨＳ−ＤＰＣＣＨ上で、基地局に低チャネル品質インデックスを伝送する。基地局は、ＨＳ−ＤＰＣＣＨ上でワイヤレス端末１００によって伝送されるＣＱＩに基づいて、ＨＳ−ＤＰＳＣＨ上でのダウンリンク送信をスケジューリングする。プロセスはその後、ブロック３３０に移動する。
【００５２】
[0058]  ブロック３３０で、ワイヤレス端末１００は、基地局にＨＳ−ＤＰＣＣＨレポートデータを一時停止する。一実施形態では、ワイヤレス端末１００は、ＨＳ−ＤＰＣＣＨレポートデータを完全に一時停止することができ、つまり、ＡＣＫ、ＮＡＣＫ、およびＣＱＩレポートデータを一時停止する。代わりの実施形態では、ワイヤレス端末１００は、ＣＱＩレポートデータをのみを一時停止することができる。とりわけ、両方の実施形態で、ＣＱＩレポートデータが一時停止される。
【００５３】
[0059]  ＣＱＩ送信が一時停止されるとき、基地局は、ＣＱＩがワイヤレス端末１００によって伝送されたが、基地局によって適切に受信および／または復号されなかったと見なしうる。したがって、基地局は、ＨＳ−ＤＰＳＣＨ上でのワイヤレス端末１００へのダウンリンク送信をスケジューリングし続けうる。基地局は、ダウンリンク送信をスケジューリングするために、ＣＱＩの最後にレポートされた値を使用し続けうる。このため、ワイヤレス端末１００は、ＣＱＩ送信を一時停止する前に伝送された最後のＣＱＩが（ブロック３２０で得られたように）低いことを確かめることを必要とする。その方法はその後、ブロック３４０に移動する。
【００５４】
[0060]  ブロック３４０で、ワイヤレス端末１００は、音声またはデータチャネルのような代わりのチャネルに、ＨＳ−ＤＰＣＣＨ送信電力（つまり、ＨＳ−ＤＰＣＣＨレポートデータを送信するのに以前分配された電力）を割り当てる。このことを行う際、ワイヤレス端末１００は、それらの代わりのチャネルの信頼性を、それらの送信電力レベルを向上させることによって向上させることができる。その方法はその後、決定ブロック３５０に移動する。
【００５５】
[0061]  決定ブロック３５０で、ワイヤレス端末１００が、電力制限モードが無効にされていない（つまり、有効にされている）と決定した場合、その方法は、決定ブロック３５０に戻る。しかしながら決定ブロック３５０で、ワイヤレス端末１００が、電力制限モードが無効にされていることを決定した場合、それは決定ブロック３６０に移動する。
【００５６】
[0062]  ブロック３６０で、ワイヤレス端末１００は、ＨＳ−ＤＰＣＣＨレポートデータ（例えば、ＣＱＩデータ）の送信を再開する。プロセスはその後、決定ブロック３１０に戻り、再スタートする。
【００５７】
[0063]  図４は、図１のワイヤレス端末１００における送信電力制御の方法４００の別のインプリメンテーションを例示するフローチャートである。方法４００は、図１に関して上記で論じられたワイヤレス端末１００を参照してここで記述されているけれども、当業者は、方法４００があらゆる他の適したデバイスによってインプリメントされうることを認識するだろう。ある実施形態では、方法４００は、送信機１６２、受信機１６４、およびメモリ１２０と関連してＣＰＵ１１０によって行われうる。方法４００は、様々な実施形態で、特定の順序を参照してここで記述されているけれども、ここにおけるブロックは、異なる順序で実行される、または省略されることができ、ならびにさらなるブロックが加えられることができる。
【００５８】
[0064]  方法４００は、ワイヤレス端末１００が、それが電力制限モードにあるかを決定する決定ブロック４１０で始まる。
[0065]  決定ブロック４１０で、ワイヤレス端末１００が、それが電力制限モードにないと決定した場合、その方法は、決定ブロック４１０に戻り、再スタートする。しかしながら決定ブロック４１０で、ワイヤレス端末１００が、それが電力制限モードにあると決定した場合、その方法は、ブロック４２０に移動する。
【００５９】
[0066]  ブロック４２０で、ワイヤレス端末１００は、ＨＳ−ＤＰＣＣＨ上で、基地局にＣＱＩレポートの所定のシーケンスを伝送する。例えば、０，３０，０，３０，０というＣＱＩシーケンスは、ＣＱＩの一時停止が結果として生じることを示しうる。基地局は、このＣＱＩシーケンスを認識し、ＨＳ−ＤＰＳＣＨ上でのダウンリンク送信をスケジューリングすることを止める。プロセスはその後、ブロック４３０に移動する。
【００６０】
[0067]  ブロック４３０で、ワイヤレス端末１００は、基地局へのＣＱＩレポートを一時停止する。代わりとして、ＨＳ−ＤＰＣＣＨ送信全体が一時停止される。その方法はその後、ブロック４４０に移動する。
【００６１】
[0068]  ブロック４４０で、ワイヤレス端末１００は、例えばＤＰＤＣＨおよびＤＰＣＣＨチャネルのような代わりの送信チャネルに、ＨＳ−ＤＰＣＣＨに以前割り当てられた送信電力を再割り当てする。プロセスはその後、決定ブロック４５０に移動する。
【００６２】
[0069]  決定ブロック４５０で、ワイヤレス端末１００が、電力制限モードが無効にされていない（つまり、有効にされていない）と決定した場合、その方法は、決定ブロック４５０に戻る。しかしながら決定ブロック４５０で、ワイヤレス端末１００が、電力制限モードが無効にされていると決定した場合、それは、ブロック４６０に移動する。
【００６３】
[0070]  ブロック４６０で、ワイヤレス端末１００は、ＨＳ−ＤＰＣＣＨ上でのＣＱＩレポートを再開する。代わりとして、ＨＳ−ＤＰＣＣＨ送信全体が再開される。プロセスはその後、決定ブロック４１０に戻り、再スタートする。
【００６４】
[0071]  図５は、図１のワイヤレス端末１００におけるワイヤレス通信の別の方法５００のインプリメンテーションを例示するフローチャートである。方法５００は、図１に関して上記で論じられたワイヤレス端末１００を参照してここで記述されているけれども、当業者は、方法５００があらゆる他の適したデバイスによってインプリメントされうることを認識するだろう。ある実施形態では、方法５００は、送信機１６２、受信機１６４、およびメモリ１２０と関連してＣＰＵ１１０によって行われうる。方法５００は、様々な実施形態で、特定の順序を参照してここで記述されているけれども、ここにおけるブロックは、異なる順序で行われる、または省略されることができ、ならびにさらなるブロックが加えられることができる。
【００６５】
[0072]  その方法は、ワイヤレス端末１００がワイヤレス端末のコンディションに基づいて電力制限モードを検出するブロック５１０でスタートする。電力制限モードは、図３に関して上記で記述されたもののような、ワイヤレス端末１００のオペレーティングパラメータに基づいて有効にされうる。
【００６６】
[0073]  その方法はその後、ワイヤレス端末１００が、ワイヤレス端末１００での、少なくとも１つのアップリンクチャネルの情報の少なくとも一部の送信を一時停止するブロック５２０に移動する。例えば、ワイヤレス端末１００は、ＣＱＩレポートデータ、または全てのＨＳ−ＤＰＣＣＨデータのような、ＨＳ−ＤＰＳＣＨのためのアップリンク制御情報を一時停止することができる。ある実施形態では、ワイヤレス端末１００は、例えば、ＣＱＩ、ＡＣＫ、およびＮＡＣＫのようなアップリンクチャネルの一部を独立して一時停止することができる。ワイヤレス端末１００は、電力制限モードの持続時間の間、検出された電力制限モードに基づいて、送信を一時停止することができる。
【００６７】
[0074]  例示された実施形態では、その方法はその後、ワイヤレス端末１００が、音声チャネルまたはデータチャネルのような別のデータ送信チャネルに、アップリンクデータ送信に以前割り当てられた電力を再割り当てするブロック５３０に移動する。例えば、ワイヤレス端末１００は、個別物理データチャネル（ＤＰＤＣＨ）および個別物理制御チャネル（ＤＰＣＣＨ）に、ＨＳ−ＤＰＣＣＨに以前割り当てられた電力を再割り当てすることができる。電力の再割り当ては、代わりのチャネルの信頼性を向上させ、脱落接続レートを低減することができる。例えば、セルラ電話のユーザは、方法５００がユーザのセルラ電話によってインプリメントされる場合、データおよび音声チャネルを同時に使用している間により少ない脱落呼を経験することができる。別の実施形態では、ブロック５３０は省略されうる。
【００６８】
[0075]図６は、本開示のある特定の態様にしたがった例示的なワイヤレス端末６００のブロック図である。当業者は、ワイヤレス端末が、図６に例示された簡略化されたワイヤレス端末６００よりも多い、または少ないコンポーネントを有することができることを認識するだろう。ワイヤレス端末６００は、請求項の範囲内のインプリメンテーションのいくつかの卓越した特徴を記述するのに役立つコンポーネントのみを例示している。
【００６９】
[0076]  ワイヤレス端末６００は、制御回路６１０、検出回路６２０、送信回路６３０、受信回路６４０、およびアンテナ６５０を含む。１インプリメンテーションでは、制御回路６１０が、上記の図３−５で記述された１つまたは複数のブロックを行うように構成される。例えば、制御回路６１０は、ＨＳ−ＤＰＣＣＨのような、第１のチャネル上のアップリンクデータの送信を一時停止するように構成されることができる。１インプリメンテーションでは、制御回路６１０は、第１のチャネル上でのアップリンクデータの送信を一時停止するための手段を含む。
【００７０】
[0077]  一実施形態では、検出回路６２０は、ワイヤレス端末６００のコンディションに基づいて電力制限モードを検出するように構成される。１インプリメンテーションでは、検出回路６２０は検出するための手段を含むことができる。１インプリメンテーションでは、送信回路６３０は、アンテナ６５０を通じて基地局にデータを送信するように構成されている。１インプリメンテーションでは、送信回路６３０は送信するための手段を含むことができる。１インプリメンテーションでは、受信回路６４０は、アンテナ６５０を通じて基地局からデータを受信するように構成されている。１インプリメンテーションでは、受信回路６４０は受信するための手段を含むことができる。
【００７１】
[0078]  ワイヤレス端末は、ユーザ機器、加入者局、加入者ユニット、移動局、携帯電話、移動ノード、リモート局、リモート端末、ユーザ端末、ユーザエージェント、ユーザデバイス、または何らかの他の専門用語を備えることができ、これらとしてインプリメントされることができ、または、これらとして周知であることができる。いくつかのインプリメンテーションにおいて、ワイヤレス端末は、セルラ電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の適した処理デバイスを備えることができる。したがって、ここで教示される１つまたは複数の態様は、電話機（例えば、セルラ電話またはスマートフォン）、コンピュータ（例えば、ラップトップ）、ポータブル通信デバイス、ポータブルコンピューティングデバイス（例えば、パーソナルデータアシスタント）、エンターテインメントデバイス（例えば、音楽デバイス、ビデオデバイス、あるいは、衛星無線）、グローバルポジショニングシステムデバイス、あるいは、ワイヤレス媒体を通じて通信するように構成されているあらゆる他の適したデバイス、の中に組み込まれてうる。
【００７２】
[0079]  基地局は、ノードＢ、ｅノードＢ、無線ネットワークコントローラ（ＲＮＣ）、基地局（ＢＳ）、無線基地局（ＲＢＳ）、基地局コントローラ（ＢＳＣ）、基地局トランシーバ（ＢＴＳ）、トランシーバ機能（ＴＦ）、無線トランシーバ、無線ルータ、ベーシックサービスセット（ＢＳＳ）、拡張サービスセット（ＥＳＳ）、または何らかの他の類似の専門用語を備えることができ、これらとしてインプリメントされることができ、または、これらとして周知であることができる。
【００７３】
[0080]  いくつかの態様では、基地局は、通信システムのためのアクセスノードを備えることができる。このようなアクセスノードは、例えば、ネットワークへのワイヤードまたはワイヤレスの通信リンク通じての、ネットワーク（例えば、インターネットのようなワイドエリアネットワークまたはセルラネットワーク）のための接続性あるいはそのネットワークへの接続性を提供することができる。したがって、基地局は、ネットワークまたはいくつかの他の機能にアクセスするために、別のノード（例えば、ワイヤレス端末）を有効にすることができる。加えて、ノードの１つまたは両方が、ポータブルでありうる、またはいくつかのケースでは比較的ポータブルできないことは認識されるべきである。
【００７４】
[0081]  また、ワイヤレスノードが、非ワイヤレスの方法で（例えばワイヤード接続を通じて）情報を送信および／または受信することができることがあることは理解されるべきである。したがって、ここで論じられた受信機および送信機は、非ワイヤレス媒体を通じて通信するために、適切な通信インターフェースコンポーネント（例えば、電気または光学インターフェースコンポーネント）を含むことができる。
【００７５】
[0082]  ワイヤレス端末またはノードは、あらゆる適したワイヤレス通信技術に基づく、あるいははそうでなければこれらをサポートする１つまたは複数のワイヤレス通信リンクを通じて通信することができる。例えば、いくつかの態様では、ワイヤレス端末はネットワークに関連することができる。いくつかの態様では、ネットワークは、ローカルエリアネットワーク、またはワイドエリアネットワークを備えることができる。ワイヤレス端末は、ここで論じられたもののような（例えば、ＣＤＭＡ、ＴＤＭＡ、ＯＦＤＭ、ＯＦＤＭＡ、ＷｉＭＡＸ（登録商標）、Ｗｉ-Ｆｉ（登録商標）等）様々なワイヤレス通信技術、プロトコル、または規格の１つまたは複数をサポート、またはそうでなければこれらを使用することができる。同様に、ワイヤレス端末は、様々な対応する変調または多重化スキームの１つまたは複数をサポート、またはそうでなければこれらを使用することができる。したがって、ワイヤレス端末は、上記、または他のワイヤレス通信技術を使用する１つまたは複数のワイヤレス通信リンクを確立およびこれらを通信するための適切なコンポーネント（例えば、エアインタフェース）を含むことができる。例えば、ワイヤレス端末は、ワイヤレス媒体をわたった通信を容易にする様々なコンポーネント（例えば、信号生成器および信号プロセッサ）を含むことができる関連する送信機および受信機コンポーネントを有するワイヤレストランシーバを備えることができる。
【００７６】
[0083]  ここで、「第１の」、「第２の」等のような指定を使用した、要素に対するいずれの参照も、一般に、それらの要素の数も順序も限定しないことが理解されるべきである。むしろ、これらの指定は、２つ以上の要素または要素の事例の間で区別する便利な方法としてここで使用されうる。したがって、第１および第２の要素への参照は、そこで２つだけの要素しか用いられないことも、何らかの方法で第１の要素が第２の要素に先行しなければならないことも、意味していない。また、他の方法で述べられていない限り、要素のセットは、１つまたは複数の要素を備えることができる。
【００７７】
[0084]  当業者は、情報および信号が、様々な異なる技術および技法のうちのいずれを使用して表されうることを理解するであろう。例えば、上記の説明を通して参照されうるデータ、命令群、コマンド、情報、信号、ビット、シンボル、およびチップは、電圧、電流、電磁波、磁界あるいは磁気粒子、光学界または光学粒子、あるいはそれらのあらゆる組み合わせによって表わされうる。
【００７８】
[0085]  当業者はさらに、ここで開示された態様と関係して記述された様々な例示的な論理ブロック、モジュール、プロセッサ、手段、回路、およびアルゴリズムステップのいずれも、電子ハードウェア（例えば、ソースコード化またはいくつかの他の技法を使用して設計されうる、デジタルインプリメンテーション、アナログインプリメンテーション、またはこの２つの組み合わせ）、（ここでは便宜上、「ソフトウェア」または「ソフトウェアモジュール」として称されうる）命令を組み込む設計コードまたはプログラムの様々な形式、あるいは両方の組み合わせとしてインプリメントされうることを認識するだろう。ハードウェアおよびソフトウェアの互換性を明確に例示するために、多様な例示的なコンポーネント、ブロック、モジュール、回路、およびステップが、一般にそれらの機能の観点から上記で記述されている。このような機能が、ハードウェアとしてインプリメントされるか、あるいはソフトウェアとしてインプリメントされるかは、特定のアプリケーションおよびシステム全体に課せられる設計制約に依存する。当業者は、各々の特定のアプリケーションに関して、多様な方法で記述された機能をインプリメントすることができるが、このようなインプリメンテーションの決定は、本開示の範囲からの逸脱を引き起こしていると解釈されるべきでない。
【００７９】
[0086]  ここで開示される態様と関係して記述された、様々な例示的な論理ブロック、モジュール、および回路は、集積回路（ＩＣ）、ワイヤレス端末、または基地局内でインプリメントされる、またはこれらによって行われることができる。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲートまたはトランジスタ論理、ディスクリートハードウェアコンポーネント、電子コンポーネント、光学コンポーネント、機械コンポーネント、またはここで記述された機能を行うように設計されたそれらのあらゆる組み合わせを備えることができ、ＩＣ内、ＩＣ外、あるいはその両方に属する命令またはコードを実施することができる。汎用プロセッサはマイクロプロセッサであり得るが、代わりとして、プロセッサは任意の従来のプロセッサ、コントローラ、マイクロコントローラ、もしくはステートマシンでありうる。プロセッサはまた、コンピューティングデバイスの組み合わせとして、例えば、ＤＳＰとマイクロプロセッサの組み合わせ、複数のマイクロプロセッサ、ＤＳＰコアと関連する１つまたは複数のマイクロプロセッサ、あるいは、このような構成の他の何らかのものとしてインプリメントされうる。
【００８０】
[0087]  あらゆる開示された処理におけるステップのいずれの特定の順序または階層も、サンプルの手法の例であることが理解される。設計の選好に基づいて、これらの処理におけるステップの特定の順序または階層は、本開示の範囲内に留まりながら再構成されうることが理解される。付随の方法の請求項は、サンプルの順序において、様々なステップの要素を示し、また、示された特定の順序または階層に限定されるようには意図されない。
【００８１】
[0088]  記述された機能は、ハードウェア、ソフトウェア、ファームウェア、またはそれらのあらゆる組み合わせにおいてインプリメントされることができる。ソフトウェアでインプリメントされた場合、機能は、１つまたは複数の命令またはコードとしてコンピュータ可読媒体上に記憶される、あるいは、１つまたは複数の命令またはコードとしてコンピュータ可読媒体上に送信されうる。コンピュータ読取可能な媒体は、ある場所から別の場所へのコンピュータプログラムの転送を容易にするあらゆる媒体を含む通信媒体とコンピュータ記憶媒体との両方を含む。記憶媒体は、コンピュータによってアクセスされうるあらゆる利用可能な媒体でありうる。例示によると、このようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいはコンピュータによってアクセスされ、命令またはデータ構造の形式で所望のプログラムコードを搬送または記憶するために使用されうるあらゆる他の媒体を、これらに制限されないけれども備えることができる。また、いずれの接続も、コンピュータ可読媒体と厳密には呼ばれうる。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、無線、およびマイクロ波のようなワイヤレス技術を使用して送信される場合、同軸ケーブル、光ファイバーケーブル、ツイストペア、ＤＳＬ、または赤外線、無線、およびマイクロ波のようなワイヤレス技術は、媒体の定義に含まれる。ここで使用される、ディスク（Ｄｉｓｋ）とディスク（ｄｉｓｃ）は、コンパクトディスク（ＣＤ）、レーザディスク（登録商標）、光学ディスク、デジタルバーサタイルディスク（ＤＶＤ）、フロッピーディスク、およびブルーレイ（登録商標）ディスクを含み、ディスク（Ｄｉｓｋ）はしばしばデータを磁気的に再生し、それに対してディスク（ｄｉｓｃ）は、データをレーザで光学的に再生する。上記の組み合わせは、また、コンピュータ可読媒体の範囲内に含まれるべきである。要約すると、コンピュータ可読媒体は、あらゆる適したコンピュータプログラム製品においてインプリメントされうると理解されるべきである。
【００８２】
[0089]  上記の記述は、当業者が添付の請求項の範囲内の実施形態を行うまたは使用できるように提供される。これらの態様に対する様々な変更は当業者に容易に明らかとなり、ここに定義された一般的な原理は、本開示の範囲を逸脱することなく、他の態様に適用されうる。したがって、本開示は、ここで提示された態様に制限されるようには意図されず、ここに開示された原理および新規な特徴と一致する最も広い範囲を与えられるべきである。
以下に、本願出願の当初の特許請求の範囲に記載された発明を付記する。
［Ｃ１］
音声およびデータ通信におけるワイヤレス通信の方法であって、
ワイヤレス端末において、前記ワイヤレス端末のコンディションに基づいて電力制限モードを検出することと、
前記検出に基づいて、検出された前記電力制限モードの持続時間の間、前記ワイヤレス端末で、少なくとも１つのアップリンクチャネルの情報の少なくとも一部の送信を一時停止することと、
を備える、方法。
［Ｃ２］
前記コンディションは、転送フォーマットの組み合わせの最小のセットから１つの転送フォーマットの組み合わせを選択した前記ワイヤレス端末を備える、Ｃ１に記載の方法。
［Ｃ３］
前記コンディションは、しきい値よりも低い送信電力ヘッドルームレベルを備える、Ｃ１に記載の方法。
［Ｃ４］
前記少なくとも１つのアップリンクチャネル上での前記アップリンク制御データの送信を一時停止した後に、少なくとも１つの第２のチャネルに、前記少なくとも１つのアップリンクチャネル上での前記アップリンク制御データの前記送信のために分配された送信電力を割り当てることをさらに備える、Ｃ１に記載の方法。
［Ｃ５］
前記少なくとも１つのアップリンクチャネルは、高速個別物理制御チャネル（ＨＳ−ＤＰＣＣＨ）を備える、Ｃ４に記載の方法。
［Ｃ６］
前記少なくとも１つの第２のチャネルは、個別物理データチャネル（ＤＰＤＣＨ）および個別物理制御チャネル（ＤＰＣＣＨ）のうちの１つを備える、Ｃ４に記載の方法。
［Ｃ７］
前記一時停止することは、前記送信を継続的に一時停止すること備える、Ｃ１に記載の方法。
［Ｃ８］
前記一時停止することは、チャネル品質インジケータ（ＣＱＩ）、肯定応答（ＡＣＫ）、および否定応答（ＮＡＣＫ）のうちの１つまたは複数を独立して一時停止することを備える、Ｃ１に記載の方法。
［Ｃ９］
前記少なくとも１つのアップリンクチャネルは、高速個別物理制御チャネル（ＨＳ−ＤＰＣＣＨ）を備える、Ｃ１に記載の方法。
［Ｃ１０］
音声およびデータ通信におけるワイヤレス通信のための装置であって、
基地局からデータを受信するように構成された受信機と、
前記基地局に前記データを送信するように構成された送信機と、
ワイヤレス端末のコンディションに基づいて電力制限モードを検出し、第１のチャネル上でのアップリンク制御データの送信を一時停止し、
検出された前記電力制限モードに基づいて、検出された前記電力制限モードの持続時間の間、前記ワイヤレス端末で、少なくとも１つのアップリンクチャネルの情報の少なくとも一部の送信を一時停止する、
ように構成されたプロセッサと、
を備える、装置。
［Ｃ１１］
前記コンディションは、転送フォーマットの組み合わせの最小のセットから１つの転送フォーマットの組み合わせを選択した前記装置を備える、Ｃ１０に記載の装置。
［Ｃ１２］
前記コンディションは、しきい値よりも低い送信電力ヘッドルームレベルを備える、Ｃ１０に記載の装置。
［Ｃ１３］
前記プロセッサは、前記少なくとも１つのアップリンクチャネル上での前記アップリンク制御データの送信を一時停止した後に、少なくとも１つの第２のチャネルに、前記少なくとも１つのアップリンクチャネル上での前記アップリンク制御データの前記送信のために分配された送信電力を割り当てるようにさらに構成される、Ｃ１０に記載の装置。
［Ｃ１４］
前記少なくとも１つのアップリンクチャネルは、高速個別物理制御チャネル（ＨＳ−ＤＰＣＣＨ）を備える、Ｃ１３に記載の装置。
［Ｃ１５］
前記少なくとも１つの第２のチャネルは、個別物理データチャネル（ＤＰＤＣＨ）および個別物理制御チャネル（ＤＰＣＣＨ）のうちの１つを備える、Ｃ１３に記載の装置。
［Ｃ１６］
前記プロセッサは、前記送信を継続的に一時停止するように構成されるＣ１０記載の装置。
［Ｃ１７］
前記プロセッサは、チャネル品質インジケータ（ＣＱＩ）、肯定応答（ＡＣＫ）、および否定応答（ＮＡＣＫ）のうちの１つまたは複数を独立して一時停止するように構成される、Ｃ１０に記載の装置。
［Ｃ１８］
前記少なくとも１つのアップリンクチャネルは、高速個別物理制御チャネル（ＨＳ−ＤＰＣＣＨ）を備える、Ｃ１０に記載の装置。
［Ｃ１９］
音声およびデータ通信におけるワイヤレス通信のための装置であって、
ワイヤレス端末において、前記ワイヤレス端末のコンディションに基づいて電力制限モードを検出するための手段と、
前記電力制限モードの前記検出に基づいて、検出された前記電力制限モードの持続時間の間、前記ワイヤレス端末で、少なくとも１つのアップリンクチャネルの情報の少なくとも一部の送信を一時停止するための手段と、
を備える、装置。
［Ｃ２０］
前記コンディションは、転送フォーマットの組み合わせの最小のセットから１つの転送フォーマットの組み合わせを選択した前記ワイヤレス端末を備える、Ｃ１９に記載の装置。
［Ｃ２１］
前記コンディションは、しきい値よりも低い送信電力ヘッドルームレベルを備える、Ｃ１９に記載の装置。
［Ｃ２２］
前記少なくとも１つのアップリンクチャネル上での前記アップリンク制御データの送信を一時停止した後に、少なくとも１つの第２のチャネルに、前記少なくとも１つのアップリンクチャネル上での前記アップリンク制御データの前記送信のために分配された送信電力を割り当てるための手段をさらに備える、Ｃ１９に記載の装置。
［Ｃ２３］
前記少なくとも１つのアップリンクチャネルは、高速個別物理制御チャネル（ＨＳ−ＤＰＣＣＨ）を備える、Ｃ２２に記載の装置。
［Ｃ２４］
前記少なくとも１つの第２のチャネルは、個別物理データチャネル（ＤＰＤＣＨ）および個別物理制御チャネル（ＤＰＣＣＨ）のうちの１つを備える、Ｃ２２に記載の装置。
［Ｃ２５］
前記送信を継続的に一時停止するための手段をさらに備える、Ｃ１９に記載の装置。
［Ｃ２６］
チャネル品質インジケータ（ＣＱＩ）、肯定応答（ＡＣＫ）、および否定応答（ＮＡＣＫ）のうちの１つまたは複数を独立して一時停止するための手段をさらに備える、Ｃ１９に記載の装置。
［Ｃ２７］
前記少なくとも１つのアップリンクチャネルは、高速個別物理制御チャネル（ＨＳ−ＤＰＣＣＨ）を備える、Ｃ１９に記載の装置。
［Ｃ２８］
命令を備える非一時的なコンピュータ可読媒体を備える、音声およびデータ通信においてワイヤレスに通信するためのコンピュータプログラム製品であって、前記命令は、実行されるときに装置に、
ワイヤレス端末において、前記ワイヤレス端末のコンディションに基づいて電力制限モードを検出することと、
検出された前記電力制限モードに基づいて、検出された前記電力制限モードの持続時間の間、前記ワイヤレス端末で、少なくとも１つのアップリンクチャネルの情報の少なくとも一部の送信を一時停止することと、
を行わせる、コンピュータプログラム製品。
［Ｃ２９］
前記コンディションは、転送フォーマットの組み合わせの最小のセットから１つの転送フォーマットの組み合わせを選択した前記ワイヤレス端末を備える、Ｃ２８に記載のコンピュータプログラム製品。
［Ｃ３０］
前記コンディションは、しきい値よりも低い送信電力ヘッドルームレベルを備える、Ｃ２８に記載のコンピュータプログラム製品。
［Ｃ３１］
前記媒体は、前記少なくとも１つのアップリンクチャネル上での前記アップリンク制御データの送信を一時停止した後に、少なくとも１つの第２のチャネルに、前記少なくとも１つのアップリンクチャネル上での前記アップリンク制御データの前記送信のために分配された送信電力を割り当てることを、実行されるときに前記装置に行わせる命令をさらに備える、Ｃ２８に記載のコンピュータプログラム製品。
［Ｃ３２］
前記少なくとも１つのアップリンクチャネルは、高速個別物理制御チャネル（ＨＳ−ＤＰＣＣＨ）を備える、Ｃ３１に記載のコンピュータプログラム製品。
［Ｃ３３］
前記少なくとも１つの第２のチャネルは、個別物理データチャネル（ＤＰＤＣＨ）および個別物理制御チャネル（ＤＰＣＣＨ）のうちの１つを備える、Ｃ３１に記載のコンピュータプログラム製品。
［Ｃ３４］
前記媒体は、前記送信を継続的に一時停止することを、実行されるときに前記装置に行わせる命令をさらに備える、Ｃ２８に記載のコンピュータプログラム製品。
［Ｃ３５］
前記媒体は、チャネル品質インジケータ（ＣＱＩ）、肯定応答（ＡＣＫ）、および否定応答（ＮＡＣＫ）のうちの１つまたは複数を独立して一時停止することを、実行されるときに前記装置に行わせる命令をさらに備える、Ｃ２８に記載のコンピュータプログラム製品。
［Ｃ３６］
前記少なくとも１つのアップリンクチャネルは、高速個別物理制御チャネル（ＨＳ−ＤＰＣＣＨ）を備える、Ｃ２８に記載のコンピュータプログラム製品。
【図１】
0005866445.tif 000002
【図２】
0005866445.tif 000003
【図３】
0005866445.tif 000004
【図４】
0005866445.tif 000005
【図５】
0005866445.tif 000006
【図６】
0005866445.tif 000007